(57)【要約】【課題】導電性接着剤が過度に広がることを抑制することができる携帯電子機器を提供すること。【解決手段】第１面２１及びこれと反対側の第２面２２を有する筐体２０と、筐体２０の第１面２１側に配置された給電部材４００と、筐体２０に装着されると共に、給電部材４００と電気的に接続される接点ピン３００と、筐体２０の第２面２２側に装着されると共に、接点ピン３００と導電性接着剤Ｂを介して電気的に接続される被給電部材１５と、被給電部材１５を筐体２０の第２面２２側に装着した際に、被給電部材１５と接点ピン３００との間が予め設定された間隔よりも狭くなることを規制する位置決め部３０４と、を備える。【選択図】図８
2014127877.tif 000002
【特許請求の範囲】
【請求項１】
第１面及びこれと反対側の第２面を有する筐体と、
前記筐体の前記第１面側に配置された給電部材と、
前記筐体に装着されると共に、前記給電部材と電気的に接続される接点ピンと、
前記筐体の前記第２面側に装着されると共に、前記接点ピンと導電性接着剤を介して電気的に接続される被給電部材と、
前記被給電部材を前記筐体の前記第２面側に装着した際に、前記被給電部材と前記接点ピンとの間が予め設定された間隔よりも狭くなることを規制する位置決め部と、を備える、
携帯電子機器。
【請求項２】
前記位置決め部は、前記接点ピンに突出して設けられている、
請求項１に記載の携帯電子機器。
【請求項３】
前記位置決め部は、前記被給電部材に突出して設けられている、
請求項１に記載の携帯電子機器。
【請求項４】
前記位置決め部は、外周面において前記導電性接着剤と接触する、
請求項１から３のいずれか一項に記載の携帯電子機器。
【請求項５】
前記位置決め部は、外周面に非平坦形状を有する、
請求項４に記載の携帯電子機器。
【請求項６】
前記位置決め部は、内周面において前記導電性接着剤と接触する、
請求項１から３のいずれか一項に記載の携帯電子機器。
【請求項７】
前記位置決め部は、内周面に非平坦形状を有する、
請求項６に記載の携帯電子機器。
【発明の詳細な説明】
【技術分野】
【０００１】
本発明は、携帯端末装置等の携帯電子機器に関する。
【背景技術】
【０００２】
携帯端末装置等の携帯電子機器において、導電性接着剤を介して２つの電極端子が電気的に接続される構成を有する技術が知られている（例えば、特許文献１参照）。
【先行技術文献】
【特許文献】
【０００３】
【特許文献１】特開２００３−１９８３１２号公報
【発明の概要】
【発明が解決しようとする課題】
【０００４】
しかしながら、上記の構成においては、２つの電極端子間に配置された導電性接着剤が過度に広がることがある。導電性接着剤の近傍に電極パターン等が配置されている場合には、過度に広がった導電性接着剤が電極パターン等に接触してしまう虞がある。
【０００５】
本発明は、導電性接着剤が過度に広がることを抑制することができる携帯電子機器を提供することを目的とする。
【課題を解決するための手段】
【０００６】
本発明に係る携帯電子機器は、第１面及びこれと反対側の第２面を有する筐体と、前記筐体の前記第１面側に配置された給電部材と、前記筐体に装着されると共に、前記給電部材と電気的に接続される接点ピンと、前記筐体の前記第２面側に装着されると共に、前記接点ピンと導電性接着剤を介して電気的に接続される被給電部材と、前記被給電部材を前記筐体の前記第２面側に装着した際に、前記被給電部材と前記接点ピンとの間が予め設定された間隔よりも狭くなることを規制する位置決め部と、を備える。
【０００７】
また、本発明に係る携帯電子機器において、前記位置決め部は、前記接点ピンに突出して設けられている構成としてもよい。
【０００８】
また、本発明に係る携帯電子機器において、前記位置決め部は、前記被給電部材に突出して設けられている構成としてもよい。
【０００９】
また、本発明に係る携帯電子機器において、前記位置決め部は、外周面において前記導電性接着剤と接触する構成としてもよい。
【００１０】
また、本発明に係る携帯電子機器において、前記位置決め部は、外周面に非平坦形状を有する構成としてもよい。
【００１１】
また、本発明に係る携帯電子機器において、前記位置決め部は、内周面において前記導電性接着剤と接触する構成としてもよい。
【００１２】
また、本発明に係る携帯電子機器において、前記位置決め部は、内周面に非平坦形状を有する構成としてもよい。
【発明の効果】
【００１３】
本発明によれば、導電性接着剤が過度に広がることを抑制することができる携帯電子機器を提供することができる。
【図面の簡単な説明】
【００１４】
【図１】第１実施形態における携帯端末装置１の外観を示す正面図である。
【図２】第１実施形態における携帯端末装置１の外観を示す背面図である。
【図３】第１実施形態における携帯端末装置１の外観を示す底面図である。
【図４】第２筐体２Ｂを取り外した状態を示す背面図である。
【図５】第１筐体２Ａを取り外した状態を示す正面図である。
【図６】ピン挿入部２００及びその周辺の状態を示す分解斜視図である。
【図７】ピン挿入部２００に接点ピン３００が設置された状態を示す図である。
【図８】ピン挿入部２００に接点ピン３００が設置され、ループアンテナ用基板１５が導電性接着剤Ｂを介して接点ピン３００に接着された状態を示す概略断面図である。
【図９Ａ】第１実施形態において導電性接着剤Ｂを介して接点ピン３００にループアンテナ用基板１５を接着する際にループアンテナ用基板１５を接点ピン３００側に移動させる状態を示す概略断面図である。
【図９Ｂ】第１実施形態において導電性接着剤Ｂを介して接点ピン３００にループアンテナ用基板１５を接着した状態を示す概略断面図である。
【図１０】第２実施形態における携帯端末装置１において、ピン挿入部２００及びその周辺の状態を示す分解斜視図である。
【図１１Ａ】第２実施形態において導電性接着剤Ｂを介して接点ピン３００にループアンテナ用基板１５を接着する際にループアンテナ用基板１５を接点ピン３００側に移動させる状態を示す概略断面図である。
【図１１Ｂ】第２実施形態において導電性接着剤Ｂを介して接点ピン３００にループアンテナ用基板１５を接着した状態を示す概略断面図である。
【図１２Ａ】第３実施形態において導電性接着剤Ｂを介して接点ピン３００にループアンテナ用基板１５を接着する際にループアンテナ用基板１５を接点ピン３００側に移動させる状態を示す概略断面図である。
【図１２Ｂ】第３実施形態において導電性接着剤Ｂを介して接点ピン３００にループアンテナ用基板１５を接着した状態を示す概略断面図である。
【図１３】第４実施形態における接点ピン３００の構成を示す概略断面図である。
【図１４】第５実施形態における接点ピン３００の構成を示す概略断面図である。
【発明を実施するための形態】
【００１５】
以下、本発明に係る携帯電子機器を携帯端末装置に適用した場合の実施形態について、図面を参照しながら説明する。
【００１６】
（第１実施形態）
まず、第１実施形態における携帯端末装置１の全体構成について説明する。図１は、第１実施形態における携帯端末装置１の外観を示す正面図である。図２は、本実施形態における携帯端末装置１の外観を示す背面図である。図３は、本実施形態における携帯端末装置１の外観を示す底面図である。
【００１７】
図１から図３に示すように、携帯端末装置１は、本体部となる筐体２を有する。筐体２は、第１筐体２Ａと、第２筐体２Ｂと、を有する。第１筐体２Ａは、ユーザーに対向する側に配置される部材であり、後述するタッチスクリーンディスプレイ３が配置される。第２筐体２Ｂは、手のひら等に対向して配置される部材である。
【００１８】
第１筐体２Ａには、図１に示すように、タッチスクリーンディスプレイ３、着信ランプ４、近接センサー５、及びインカメラ６が配置されている。
【００１９】
タッチスクリーンディスプレイ３は、第１筐体２Ａの正面側に配置されている。タッチスクリーンディスプレイ３は、ディスプレイと、タッチスクリーンとを有する（いずれも不図示）。
【００２０】
ディスプレイは、液晶ディスプレイ、有機ＥＬパネル、又は無機ＥＬパネル等の表示デバイスにより構成される。ディスプレイは、文字及び図形等の画像を表示することができる。ディスプレイは、タッチスクリーンに対して第１筐体２Ａの内側に配置される。
【００２１】
タッチスクリーンは、タッチスクリーンディスプレイ３に対する指、又はスタイラスペン等の接触を検出する。タッチスクリーンは、複数の指、又はスタイラスペン等がタッチスクリーンディスプレイ３に接触した位置及び／又はジェスチャーを検出することができる。タッチスクリーンの検出方式は、静電容量方式、抵抗膜方式、表面弾性波方式（又は超音波方式）、赤外線方式、電磁誘導式、及び荷重検出方式等の任意の方式でよい。なお、本実施形態におけるタッチスクリーンは、自ら振動して音を伝えるレシーバーとしての機能を有する。
【００２２】
着信ランプ４は、電話の着信時、及びメールの受信時に予め設定されたパターンに従って点滅する。また、着信ランプ４は、充電中に所定の色で点灯する。
【００２３】
近接センサー５は、第１筐体２Ａ側における物体の接近を非接触で検出する。近接センサー５は、センサー検出面（不図示）が第１筐体２Ａの正面側に向くように配置されている。近接センサー５により、例えば、通話中において、タッチスクリーンディスプレイ３にユーザーの顔が接近したことが検出される。近接センサー５の位置には、光センサー（不図示）が設けられている。光センサーにおいて周囲の明るさを検出することにより、ディスプレイの明るさを適切に調節することができる。
【００２４】
インカメラ６は、第１筐体２Ａに面している物体を撮影するためのカメラである。インカメラ６は、第１筐体２Ａからレンズ部のみが露出している。
【００２５】
筐体２の幅方向（図中、横方向）において、第１筐体２Ａと第２筐体２Ｂとの接合面となる一方の側面には、電源キー７、及び音量キー８が配置されている。
【００２６】
電源キー７は、電源のオン／オフ、及びスリープモード等の移行／解除の際に操作される。
音量キー８は、通話時の音量を調節する際に操作される。音量キー８を構成する２つのキーのうち、一方のキーを操作すると音量が高くなり、他方のキーを操作すると音量が低くなる。
【００２７】
筐体２の幅方向（図中、横方向）において、第１筐体２Ａと第２筐体２Ｂとの接合面となる他方の側面には、外部接続端子及び外部接続端子カバーが配置されている（不図示）。外部接続端子は、不使用時には、外部接続端子カバーにより覆われている。
【００２８】
第２筐体２Ｂには、図２に示すように、スピーカー９、アンテナ１０、赤外線ポート１１、及びアウトカメラ１２が配置されている。
【００２９】
スピーカー９は、電話の着信音及び各種のアラーム音を外部へ出力する。
アンテナ１０は、テレビの地上波電波等を受信する。アンテナ１０は、テレビを視聴する際に筐体２から引き出されて使用される。
【００３０】
赤外線ポート１１は、赤外線通信によりデータの送受信を行うための端子である。
アウトカメラ１２は、第２筐体２Ｂに面している物体を撮影するためのカメラである。アウトカメラ１２は、第２筐体２Ｂからレンズ部のみが露出している。
【００３１】
図３に示すように、筐体２の底面側において、第１筐体２Ａと第２筐体２Ｂとの接合面には、分解用凹部１３が配置されている。分解用凹部１３は、筐体２を、第１筐体２Ａと第２筐体２Ｂとに分離する際に使用される。ユーザーは、分解用凹部１３に指の爪又は工具を挿入し、第１筐体２Ａに対して第２筐体２Ｂを離間させる方向に力を加えることにより、第１筐体２Ａと第２筐体２Ｂとを分離させることができる。
【００３２】
分解用凹部１３の近傍には、マイク（不図示）が配置されている。マイクは、通話時又は音声の録音時に、ユーザーの発した音声を音声信号に変換する音声入力部である。
【００３３】
次に、携帯端末装置１の内部構造について説明する。図４は、携帯端末装置１から第２筐体２Ｂを取り外した状態を示す背面図である。図５は、携帯端末装置１から第１筐体２Ａを取り外した状態を示す正面図である。
【００３４】
図４及び図５に示すように、第１筐体２Ａと第２筐体２Ｂとの間には、筐体としての中間筐体２０が配置されている。中間筐体２０は、第１筐体２Ａ側となる第１面２１と、第１面２１と反対側の第２筐体２Ｂ側となる第２面２２とを有する。中間筐体２０には、バッテリー収納部２３が設けられている。バッテリー収納部２３には、バッテリー１４のほか、メモリーカード及びＩＣカード（不図示）が収納されている。
【００３５】
中間筐体２０の第２面２２側には、アンテナ１０及びループアンテナ用基板（被給電部材）１５が装着されている。中間筐体２０の第２面２２は、アンテナ１０を収容する溝を有している。アンテナ１０は、この溝から先端を引き出し可能な構造を有している。ループアンテナ用基板１５は、後述するピン挿入部２００を覆って第２面２２に貼り付けられるＦＰＣ（Ｆｌｅｘｉｂｌｅ  Ｐｒｉｎｔｅｄ  Ｃｉｒｃｕｉｔｓ）基板である。ループアンテナ用基板１５には、ループアンテナ１５１及び接点端子１５２，１５３がプリントされており、ピン挿入部２００に備えられる電気的な接点を介して、バッテリー１４からの電力が供給される。
【００３６】
次に、中間筐体２０におけるピン挿入部２００、接点ピン３００及びループアンテナ用基板１５の周辺の構成について説明する。
図６は、ピン挿入部２００及びその周辺の状態を示す分解斜視図である。図７は、ピン挿入部２００に接点ピン３００が設置された状態を示す図である。図８は、ピン挿入部２００に接点ピン３００が設置され、ループアンテナ用基板１５が導電性接着剤Ｂを介して接点ピン３００に接着された状態を示す概略断面図である。図９Ａは、第１実施形態において導電性接着剤Ｂを介して接点ピン３００にループアンテナ用基板１５を接着する際にループアンテナ用基板１５を接点ピン３００側に移動させる状態を示す概略断面図である。図９Ｂは、第１実施形態において導電性接着剤Ｂを介して接点ピン３００にループアンテナ用基板１５を接着した状態を示す概略断面図である。
【００３７】
図６及び図７に示すように、ピン挿入部２００には、金属製の接点ピン３００が挿入される。ループアンテナ用基板１５は、ピン挿入部２００に金属製の接点ピン３００が挿入された後に、図８に示すように、導電性接着剤Ｂを介して中間筐体２０の第２面２２側に装着される。ループアンテナ用基板１５は、導電性接着剤Ｂを介して接点ピン３００と電気的に接続される。
【００３８】
ピン挿入部２００は、図６から図８に示すように、貫通穴２０１と、スリット２０２と、薄肉部２０３とを備える。
貫通穴２０１は、中間筐体２０の第１面２１側と第２面２２側とに亘って中間筐体２０を貫通している。貫通穴２０１は、接点ピン３００の軸部３０１（後述）の直径と略等しい直径を有している。
薄肉部２０３は、貫通穴２０１を囲むように配置されており、中間筐体２０における他の部分よりも薄肉化された円弧状の部分である。
【００３９】
スリット２０２は、中間筐体２０の第１面２１から第２面２２に至るまで延びると共に、貫通穴２０１の内周面から貫通穴２０１の半径方向外方へ、薄肉部２０３の外縁まで延びている。スリット２０２は、貫通穴２０１の内周面において、周方向に複数設置される。本実施形態では、スリット２０２は、貫通穴２０１の内周面において、周方向に３箇所、等間隔で設置されている。
【００４０】
接点ピン３００は、中間筐体２０に装着される。接点ピン３００は、後述する給電部材４００に電気的に接続される。
接点ピン３００は、図８に示すように、軸部３０１と、係合部３０２と、頂部３０３と、位置決め部としての角柱突起部３０４と、を備える。
【００４１】
軸部３０１は、円柱状である。軸部３０１は、ピン挿入部２００に接点ピン３００が設置される場合に、貫通穴２０１内に配置される。
【００４２】
係合部３０２は、軸部３０１の軸方向の一端に設けられる。係合部３０２は、ピン挿入部２００に接点ピン３００が設置される場合に、ピン挿入部２００の薄肉部２０３の内側の部分に係合する。係合部３０２の先端は、軸部３０１よりも小さい直径を有する円形の形状である。係合部３０２は、先端から離れるほど徐々に直径が大きくなっており、係合部３０２の軸部３０１側は軸部３０１よりも直径が大きい。
頂部３０３は、軸部３０１の軸方向の他端に設けられる。頂部３０３は、軸部３０１よりも直径が大きい。
【００４３】
接点ピン３００は、第１接触面３１１と、第２接触面３１２とを有する。
第１接触面３１１は、係合部３０２における中間筐体２０の第１面２１側に露出する面である。第１接触面３１１は、円形状の平坦形状（平面形状）である。
第２接触面３１２は、頂部３０３における中間筐体２０の第２面２２側に露出する面である。第２接触面３１２は、後述する角柱突起部３０４が設けられている部分以外の部分において、環状の平坦形状（平面形状）である。
【００４４】
角柱突起部３０４は、接点ピン３００に突出して設けられている。角柱突起部３０４は、第２接触面３１２の中央部に、第２接触面３１２から突出して設けられている。角柱突起部３０４は、直方体形状を有する。角柱突起部３０４のループアンテナ用基板１５側の面は、方形状の平坦形状（平面形状）である。角柱突起部３０４は、ループアンテナ用基板１５を中間筐体２０の第２面２２側に装着した際に、ループアンテナ用基板１５と接点ピン３００との間が予め設定された間隔よりも狭くなることを規制する。
【００４５】
角柱突起部３０４の第２接触面３１２からの高さは、導電性接着剤Ｂの粘性等の特性による広がりの量、及び、導電性接着剤Ｂにより接点ピン３００とループアンテナ用基板１５とが十分に接着することができる接点ピン３００とループアンテナ用基板１５との間の距離等により適宜設定される。
【００４６】
接点ピン３００がピン挿入部２００に挿入されることにより、中間筐体２０の第１面２１側と第２面２２側とにおける電気的な接続が可能となる。具体的には、ピン挿入部２００に接点ピン３００が挿入されると、図８に示すように、中間筐体２０の第１面２１側に配置される給電部材４００と、中間筐体２０の第２面２２側に配置されるループアンテナ用基板１５との電気的な接続が可能となる。
【００４７】
図８に示すように、ピン挿入部２００に挿入された接点ピン３００とループアンテナ用基板１５とは、導電性接着剤Ｂによって接着される。
ループアンテナ用基板１５は、接点ピン３００の角柱突起部３０４のループアンテナ用基板１５側の面に当接した状態で、接点ピン３００の第２接触面３１２に対して平行に配置されている。ループアンテナ用基板１５における接点ピン３００側の面には、ループアンテナ１５１と、接点端子１５２とが設けられている。
【００４８】
導電性接着剤Ｂは、角柱突起部３０４がループアンテナ用基板１５の接点端子１５２に当接した状態で、接点ピン３００の第２接触面３１２とループアンテナ用基板１５との間に配置される。導電性接着剤Ｂは、接点ピン３００の第２接触面３１２の外縁よりも水平方向の外側方向への広がりが規制された状態で、接点ピン３００の第２接触面３１２の外縁から水平方向の外側方向に所定量広がっている。導電性接着剤Ｂの広がりの所定量は、導電性接着剤Ｂがループアンテナ１５１に接触しない範囲で、角柱突起部３０４の第２接触面３１２からの高さや、導電性接着剤Ｂの粘性等の特性等により適宜設定される。
【００４９】
以上により、接点ピン３００の第２接触面３１２は、導電性接着剤Ｂと接触する。角柱突起部３０４は、外周面において導電性接着剤Ｂと接触する。これにより、接点ピン３００とループアンテナ用基板１５とが電気的に接続される。
ピン挿入部２００に挿入された接点ピン３００とループアンテナ用基板１５とを導電性接着剤Ｂを介して接着する方法については、後述する。
【００５０】
ピン挿入部２００に挿入された接点ピン３００の周囲において、ループアンテナ用基板１５と中間筐体２０の第２面２２とが防水両面テープＳによって貼り付けられる。これにより、ピン挿入部２００の防水機能が実現される。
【００５１】
給電部材４００は、図８に示すように、板ばね状の金属部材によって構成される。給電部材４００の一端は、不図示の制御回路と接続されており、制御回路を介してバッテリー１４から給電される。給電部材４００の他端には、接点ピン３００に対向する面に円錐状の金属部材が配置されている。ピン挿入部２００に設置された接点ピン３００において、係合部３０２の先端の第１接触面３１１に給電部材４００の金属部材が当接することにより、給電部材４００と接点ピン３００とが電気的に接続された状態となる。
【００５２】
次に、第１実施形態において、ピン挿入部２００に挿入された接点ピン３００とループアンテナ用基板１５とを導電性接着剤Ｂを介して接着させる方法について説明する。
まず、ピン挿入部２００に接点ピン３００が設置された後、図９Ａに示すように、接点ピン３００の第２接触面３１２に、導電性接着剤Ｂを塗布する。
具体的には、ピン挿入部２００に挿入された接点ピン３００の第２接触面３１２及び角柱突起部３０４上に、角柱突起部３０４を覆うように、導電性接着剤Ｂを第２接触面３１２及び角柱突起部３０４から盛り上がるように塗布する。
【００５３】
そして、ループアンテナ用基板１５を水平に保持した状態で、ループアンテナ用基板１５を、中間筐体２０の第２面２２側から接点ピン３００に近づく側に移動させる。この際、加圧部材（不図示）により、ループアンテナ用基板１５を接点ピン３００側に向けて加圧する。
【００５４】
ループアンテナ用基板１５を接点ピン３００側に移動させると、図９Ｂに示すように、ループアンテナ用基板１５は、導電性接着剤Ｂを水平方向に広がるように押しつぶす。その後、ループアンテナ用基板１５は、角柱突起部３０４に当接する。
その後、ループアンテナ用基板１５における接点ピン３００への加圧部材（不図示）の加圧を解除する。
【００５５】
角柱突起部３０４は、ループアンテナ用基板１５と接点ピン３００との間隔を、予め設定された間隔よりも狭くなることを規制している。これにより、導電性接着剤Ｂは、接点ピン３００の第２接触面３１２の外縁よりも水平方向の外側方向への広がりが規制された状態で、接点ピン３００の第２接触面３１２の外縁から水平方向の外側方向に所定量広がっている。導電性接着剤Ｂは、接点ピン３００の第２接触面３１２に接触すると共に、導電性接着剤Ｂ角柱突起部３０４の外周面に接触している。
【００５６】
このようにして、ループアンテナ用基板１５は、導電性接着剤Ｂを介して、接点ピン３００に接着される。ループアンテナ用基板１５と接点ピン３００とは、第２接触面３１２及び角柱突起部３０４に塗布された導電性接着剤Ｂによって、電気的に接続された状態で接着される。
【００５７】
上述した第１実施形態の携帯端末装置１によれば、例えば、以下のような効果を奏する。
（１）角柱突起部３０４は、ループアンテナ用基板１５を中間筐体２０の第２面２２側に装着した際に、ループアンテナ用基板１５と接点ピン３００との間が予め設定された間隔よりも狭くなることを規制する。そのため、ループアンテナ用基板１５と接点ピン３００との間に配置される導電性接着剤Ｂが過度に広がることを抑制することができる。これにより、例えば、周辺にループアンテナ１５１等の配線パターンがある場合においても、導電性接着剤Ｂが配線パターンに接触することを抑制することができる。
【００５８】
（２）角柱突起部３０４は、接点ピン３００に突出して設けられている。そのため、角柱突起部３０４を接点ピン３００に設けるだけの簡易な構成で、導電性接着剤Ｂが過度に広がることを抑制することができる。
【００５９】
（３）角柱突起部３０４は、外周面において導電性接着剤Ｂと接触する。そのため、角柱突起部３０４の外周面に接触しない場合と比べて、接点ピン３００は、導電性接着剤Ｂとの接触面積が大きくなる。これにより、ループアンテナ用基板１５と接点ピン３００との間の導通の状態を良好にすることができる。
【００６０】
（第２実施形態）
次に、本発明の第２実施形態について説明する。なお、第２実施形態においては、第１実施形態との相違点について説明する。また、第２実施形態では、第１実施形態と同じ構成要素に同一符号を付し、その説明を適宜に省略する。
【００６１】
図１０は、第２実施形態において、ピン挿入部２００及びその周辺の状態を示す分解斜視図である。図１１Ａは、第２実施形態において導電性接着剤Ｂを介して接点ピン３００にループアンテナ用基板１５を接着する際にループアンテナ用基板１５を接点ピン３００側に移動させる状態を示す概略断面図である。図１１Ｂは、第２実施形態において導電性接着剤Ｂを介して接点ピン３００にループアンテナ用基板１５を接着した状態を示す概略断面図である。
【００６２】
第２実施形態においては、第１実施形態における位置決め部を角柱突起部３０４により構成することに代えて、位置決め部を円筒突起部３０５により構成する点において異なる。
第２実施形態の位置決め部としての円筒突起部３０５は、円筒形状を有する。
【００６３】
円筒突起部３０５は、図１０から図１１Ｂに示すように、接点ピン３００の第２接触面３１２から突出している。円筒突起部３０５は、接点ピン３００の第２接触面３１２の外周縁よりも内側において、接点ピン３００の第２接触面３１２の外周縁よりも外径が小さく且つ接点ピン３００の第２接触面３１２の外周縁に沿った環状の壁により構成される。
【００６４】
円筒突起部３０５のループアンテナ用基板１５側の面は、円環状の平坦形状（平面形状）である。円筒突起部３０５は、内周面及び外周面において導電性接着剤Ｂと接触する。
【００６５】
次に、第２実施形態において、ピン挿入部２００に挿入された接点ピン３００とループアンテナ用基板１５とを導電性接着剤Ｂを介して接着する方法について説明する。
まず、ピン挿入部２００に接点ピン３００が設置された後、図１１Ａに示すように、円筒突起部３０５の内側の第２接触面３１２に、導電性接着剤Ｂを塗布する。
具体的には、円筒突起部３０５の環状の壁の内側の底面である第２接触面３１２上に、導電性接着剤Ｂを円筒突起部３０５の内側の第２接触面３１２から盛り上がるように塗布する。
【００６６】
そして、ループアンテナ用基板１５を水平に保持した状態で、ループアンテナ用基板１５を中間筐体２０の第２面２２側から接点ピン３００に近づく側に移動させる。この際、加圧部材（不図示）により、ループアンテナ用基板１５を接点ピン３００側に向けて加圧する。
【００６７】
ループアンテナ用基板１５を接点ピン３００側に移動させると、図１１Ｂに示すように、ループアンテナ用基板１５は、導電性接着剤Ｂを水平方向に広がるように押しつぶして、その後、円筒突起部３０５に当接する。円筒突起部３０５の内側の第２接触面３１２上に盛り上がるように塗布された導電性接着剤Ｂは、円筒突起部３０５の環状の壁の部分を乗り越える。これにより、円筒突起部３０５の環状の壁の内側に導電性接着剤Ｂが充填された状態で、導電性接着剤Ｂは、円筒突起部３０５の環状の壁の外側に広がると共に、第２接触面３１２の外側に広がる。
その後、ループアンテナ用基板１５における接点ピン３００への加圧部材（不図示）の加圧を解除する。
【００６８】
円筒突起部３０５は、ループアンテナ用基板１５と接点ピン３００との間隔を、予め設定された間隔よりも狭くなることを規制している。これにより、導電性接着剤Ｂは、接点ピン３００の第２接触面３１２の外縁よりも水平方向の外側方向への広がりが規制された状態で、接点ピン３００の第２接触面３１２の外縁から水平方向の外側方向に所定量広がっている。導電性接着剤Ｂは、接点ピン３００の第２接触面３１２に接触すると共に、円筒突起部３０５の内周面及び外周面に接触している。
【００６９】
このようにして、ループアンテナ用基板１５は、導電性接着剤Ｂを介して、接点ピン３００に接着される。ループアンテナ用基板１５と接点ピン３００とは、第２接触面３１２及び円筒突起部３０５に塗布された導電性接着剤Ｂによって、電気的に接続された状態で接着される。
【００７０】
第２実施形態によれば、上述した第１実施形態と同様の効果を奏する。更に、第２実施形態によれば、円筒突起部３０５の内周面及び外周面に導電性接着剤Ｂが接触する。これにより、円筒突起部３０５と導電性接着剤Ｂとの接触面積を一層大きくすることができる。従って、接点ピン３００とループアンテナ用基板１５との導通を一層良好な状態にすることができる。
また、導電性接着剤Ｂを円筒突起部３０５の内側の第２接触面３１２に盛り上がるように塗布する場合に、円筒突起部３０５の環状の壁により、導電性接着剤Ｂが円筒突起部３０５の外側に広がることを抑制することができる。これにより、導電性接着剤Ｂが円筒突起部３０５の外側に広がることが抑制された状態で、円筒突起部３０５の内側の第２接触面３１２に、導電性接着剤Ｂを容易に塗布することができる。
【００７１】
（第３実施形態）
次に、本発明の第３実施形態について説明する。なお、第３実施形態においては、第１実施形態との相違点について説明する。また、第３実施形態では、第１実施形態と同じ構成要素に同一符号を付し、その説明を適宜に省略する。図１２Ａは、第３実施形態において導電性接着剤Ｂを介して接点ピン３００にループアンテナ用基板１５を接着する際にループアンテナ用基板１５を接点ピン３００側に移動させる状態を示す概略断面図である。図１２Ｂは、第３実施形態において導電性接着剤Ｂを介して接点ピン３００にループアンテナ用基板１５を接着した状態を示す概略断面図である。
【００７２】
第３実施形態においては、第１実施形態における位置決め部としての角柱突起部３０４が接点ピン３００に突出して設けられているのに対して、位置決め部としてのアンテナ側角柱突起部１５５がループアンテナ用基板１５に突出して設けられている点において、第１実施形態とは異なる。
【００７３】
アンテナ側角柱突起部１５５は、図１２Ａ及び図１２Ｂに示すように、ループアンテナ用基板１５に突出して設けられている。アンテナ側角柱突起部１５５は、導電性を有する金属製の部材である。アンテナ側角柱突起部１５５は、直方体形状を有する。アンテナ側角柱突起部１５５の接点ピン３００側の面は、方形状の平坦形状（平面形状）である。
接点ピン３００の第２接触面３１２は、平坦形状（平面形状）である。
【００７４】
次に、第３実施形態において、ピン挿入部２００に挿入された接点ピン３００とループアンテナ用基板１５とを導電性接着剤Ｂを介して接着させる方法について説明する。
まず、ピン挿入部２００に接点ピン３００が設置された後、図１２Ａに示すように、接点ピン３００の第２接触面３１２に、導電性接着剤Ｂを第２接触面３１２から盛り上がるように塗布する。
【００７５】
そして、ループアンテナ用基板１５を水平に保持した状態で、ループアンテナ用基板１５を中間筐体２０の第２面２２側から接点ピン３００に近づく側に移動させる。この際、加圧部材（不図示）により、ループアンテナ用基板１５を接点ピン３００側に向けて加圧する。
【００７６】
ループアンテナ用基板１５を接点ピン３００側に移動させると、図１２Ｂに示すように、ループアンテナ用基板１５は、アンテナ側角柱突起部１５５と共に、導電性接着剤Ｂを水平方向に広がるように押しつぶす。その後、ループアンテナ用基板１５のアンテナ側角柱突起部１５５は、接点ピン３００の第２接触面３１２に当接する。
その後、ループアンテナ用基板１５における接点ピン３００への加圧部材（不図示）の加圧を解除する。
【００７７】
アンテナ側角柱突起部１５５は、ループアンテナ用基板１５と接点ピン３００との間隔を、予め設定された間隔よりも狭くなることを規制している。これにより、導電性接着剤Ｂは、接点ピン３００の第２接触面３１２の外縁よりも水平方向の外側方向への広がりが規制された状態で、接点ピン３００の第２接触面３１２の外縁から水平方向の外側方向に所定量広がっている。導電性接着剤Ｂは、接点ピン３００の第２接触面３１２に接触すると共に、アンテナ側角柱突起部１５５の外周面に接触している。
【００７８】
このようにして、ループアンテナ用基板１５は、導電性接着剤Ｂを介して、接点ピン３００に接着される。ループアンテナ用基板１５と接点ピン３００とは、第２接触面３１２に塗布された導電性接着剤Ｂによって、電気的に接続された状態で接着される。
【００７９】
第３実施形態によれば、ループアンテナ用基板１５にアンテナ側角柱突起部１５５を設けることにより、上述した第１実施形態と同様に、ループアンテナ用基板１５と接点ピン３００との間に配置される導電性接着剤Ｂが過度に広がることを抑制することができる。
【００８０】
（第４実施形態）
次に、本発明の第４実施形態について説明する。図１３は、第４実施形態における接点ピン３００の構成を示す概略断面図である。
第４実施形態の位置決め部としての角柱螺旋突起部３０４Ａは、第１実施形態の角柱突起部３０４が外周面に平坦形状を有するのに対して、外周面に非平坦形状を有する点において異なる。
第４実施形態の位置決め部としての角柱螺旋突起部３０４Ａの外周面には、螺旋状の凹凸（非平坦形状）が設けられている。
【００８１】
第４実施形態によれば、第４実施形態の角柱螺旋突起部３０４Ａは、外周面に螺旋状の凹凸がない場合と比べて、導電性接着剤Ｂとの接触面積を増加させる。そのため、接点ピン３００とループアンテナ用基板１５とを、一層良好に導通させることができる。
【００８２】
（第５実施形態）
次に、本発明の第５実施形態について説明する。図１４は、第５実施形態における接点ピン３００の構成を示す概略断面図である。
第５実施形態の位置決め部としての円筒螺旋突起部３０５Ａは、第２実施形態の円筒突起部３０５が内周面に平坦形状を有するのに対して、内周面に非平坦形状を有する点において異なる。
第５実施形態の位置決め部としての円筒螺旋突起部３０５Ａの外周面には、螺旋状の凹凸（非平坦形状）が設けられている。
【００８３】
第５実施形態によれば、第５実施形態の角柱螺旋突起部３０４Ａは、内周面に螺旋状の凹凸がない場合と比べて、導電性接着剤Ｂとの接触面積を増加させる。そのため、接点ピン３００とループアンテナ用基板１５とを、一層良好に導通させることができる。
【００８４】
本発明は、上述した本実施形態に制限されるものではなく、以下に示すように適宜に変更可能であり、それらも本発明の範囲に含まれる。
【００８５】
前記実施形態では、位置決め部を、第１実施形態において直方体形状の角柱突起部３０４により構成し、第２実施形態において円筒状の円筒突起部３０５により構成した。また、前記実施形態では、位置決め部を、前記第４実施形態において角柱突起部の外周面に螺旋形状を有する構成とし、前記第５実施形態において円筒突起部の内周面に螺旋形状を有する構成とした。しかし、これに制限されず、位置決め部は、円柱形状であってもよいし、方形筒状であってもよいし、筒状の一部に螺旋状でない凹凸が設けられる形状でもよい。
【００８６】
前記第４実施形態においては位置決め部の外周面のみに螺旋形状が設けられており、前記第５実施形態において位置決め部の内周面のみに螺旋形状が設けられている。しかし、これに制限されず、位置決め部の内周面及び外周面の両方に螺旋形状が設けられていてもよい。
【００８７】
本実施形態では、本発明に係る携帯電子機器を携帯端末装置に適用した例について説明した。これに限らず、本発明に係る携帯電子機器は、タブレット端末装置、ＰＤＡ（Ｐｅｒｓｏｎａｌ  Ｄｉｇｉｔａｌ  Ａｓｓｉｓｔａｎｔ）、ポータブルナビゲーション装置等のアンテナを備えた携帯電子機器一般に適用することができる。また、本実施形態では、本発明の防水構造について携帯端末装置に適用した例について説明したが、本発明の防水構造については、電子機器一般に適用することができる。
【符号の説明】
【００８８】
１  携帯端末装置（携帯電子機器）
１５  ループアンテナ用基板（被給電部材）
２０  中間筐体（筐体）
２１  第１面
２２  第２面
１５５  角柱突起部（位置決め部）
３００  接点ピン
３０４  角柱突起部（位置決め部）
３０４Ａ  角柱螺旋突起部（位置決め部）
３０５  円筒突起部（位置決め部）
３０５Ａ  円筒螺旋突起部（位置決め部）
４００  給電部材
【図１】
2014127877.tif 000003
【図２】
2014127877.tif 000004
【図３】
2014127877.tif 000005
【図４】
2014127877.tif 000006
【図５】
2014127877.tif 000007
【図６】
2014127877.tif 000008
【図７】
2014127877.tif 000009
【図８】
2014127877.tif 000010
【図９Ａ】
2014127877.tif 000011
【図９Ｂ】
2014127877.tif 000012
【図１０】
2014127877.tif 000013
【図１１Ａ】
2014127877.tif 000014
【図１１Ｂ】
2014127877.tif 000015
【図１２Ａ】
2014127877.tif 000016
【図１２Ｂ】
2014127877.tif 000017
【図１３】
2014127877.tif 000018
【図１４】
2014127877.tif 000019